(57)【要約】【課題】油圧制御流体中に存在している気体の連続的で且つ大幅な脱気を可能にする。【解決手段】本発明は、第１の部分２と、油圧制御流体で満たされている油圧チャンバ８が中に備えられている第２の部分７とを備える、投与ヘッド１と、油圧チャンバ内でポンプのピストン１３を平行移動の形で駆動するための手段を備える投与本体１４と、油圧チャンバ内の圧力の補正のための弁１７と、少なくとも１つの脱気経路３３、３４、３６、３７であって、上記経路の最下点を形成するその経路の第１の端部が、ピストンとそのピストンに取り付けられているシールとの間の接合部において開いているように、且つ、上記経路の最高点を形成する上記経路の第２の端部が上記弁の中空本体の中に開くように第２の部分内を延びる、少なくとも１つの脱気経路とを備えるポンプに関する。【選択図】図１
2015224643.tif 000002
【特許請求の範囲】
【請求項１】
油圧制御ダイアフラムポンプであって、
ポンプ圧送チャンバ（３、１０３）を有する第１の部分（２、１０２）と、油圧制御流体で満たされている油圧チャンバ（８、１０８）が中に備えられており且つダイアフラム（３、１０３）によって前記ポンプ圧送チャンバから隔離されている第２の部分（７、１０７）とを備える、投与ヘッド（１、１０１）と、
平行移動軸線（Ｘ）にしたがって前記油圧チャンバ内を平行移動する形にそのポンプのピストン（１３、１１３）を駆動するための手段を備える投与本体（１４、１１４）と、
前記第２の部分と前記投与本体との間の接合部において前記ピストン上に配置されている少なくとも１つのシール（１６、１１６）と、
ポンプの動作位置において前記油圧チャンバの最高点の付近に配置されている圧力補正弁（１７、１１７）であって、フラップ弁（２４、１２４）を介して前記油圧チャンバと連通している中空本体（２５、１２５）を備え、前記フラップ弁は前記中空本体に向かう前記油圧チャンバの方向に開く圧力補正弁と、
前記油圧制御流体のための専用の脱気手段であって、少なくとも１つの脱気経路（３３、３４、３６、３７、１３３、１３４、１３６、１３７）を備え、及び、前記少なくとも１つの脱気経路は、前記経路の最下点を形成する前記経路の第１の端部が前記ピストンと前記シールとの間の接合部において開くように、且つ、前記経路の最高点を形成する前記経路の第２の端部が前記フラップ弁の上方で前記弁本体の中に開くように、前記平行移動軸線に対して非平行である形で前記第２の部分内を延びる、脱気手段と、
を備えるポンプ。
【請求項２】
前記脱気経路は複数の流路（３３、３４、３６、３７、１３３、１３４、１３６、１３７）を備える、
請求項１に記載のポンプ。
【請求項３】
前記脱気経路は、
第１の流路（３３、１３３）であって、その一方の端部が前記脱気経路の第１の端部を形成し、及び、前記平行移動軸線に対して横断方向に延びる第１の流路と、
前記第１の流路に連結されている第２の流路（３４、１３４）であって、前記平行移動軸線に対して横断方向に延びる第２の流路と、
前記第２の流路に連結されている第３の流路（３６、１３６）であって、前記平行移動軸線に対して横断方向に延びる第３の流路と、
前記第３の流路に連結されている端部と、前記脱気経路の第２の端部を画定する端部とを有する、第４の流路（３７、１３７）と、
を備える、
請求項２に記載のポンプ。
【請求項４】
前記第２の流路（３４、１３４）の下端と、前記第１の流路（３３、１３３）の前記端部の他方とが、前記第２の部分（７、１０７）の排出チャンバ（１１、１１１）の中に開く、
請求項３に記載のポンプ。
【請求項５】
前記第２の流路（３４、１３４）の前記下端は、前記第１の流路（３３、１３３）の他方の端部と概ね同一の高さにおいて、前記排出チャンバ（１１、１１１）の前記上部部分内で前記排出チャンバの中に開く、
請求項４に記載のポンプ。
【請求項６】
前記第２の流路（３４、１３４）の前記下端は、前記第１の流路（３３、１３３）の他方の端部の上方において開く、
請求項５に記載のポンプ。
【請求項７】
前記第２の流路（３４、１３４）は、前記弁（１７、１７１）とは反対側の方向に延び、
前記第１の流路（３３、１３３）と前記第３の流路（３６、１３６）とは、前記圧力補正弁の方向に延びる、
請求項３に記載のポンプ。
【請求項８】
前記第２の流路（３４、１３４）は、前記第１の流路（３３、１３３）と前記第３の流路（３６、１３６）と前記第４の流路（３７、１３７）とよりも大きい横断面を有する、
請求項３に記載のポンプ。
【請求項９】
前記脱気経路は、前記油圧チャンバ（８、１０８）を前記弁（１７、１１７）に連結する前記流路の横断面よりも全体的に大きい横断面を有する、
請求項１に記載のポンプ。
【発明の詳細な説明】
【技術分野】
【０００１】
本発明は、専用の脱気経路を備える油圧制御ダイアフラムポンプに関する。
【背景技術】
【０００２】
油圧制御ダイアフラムポンプは、通常は、ポンプ圧送チャンバを有する第１の部分と、油圧制御流体で満たされている油圧チャンバが中に備えられており且つダイアフラムによってポンプ圧送チャンバから隔離されている第２の部分とを備える、投与ヘッド（ｄｏｓａｇｅ  ｈｅａｄ）と、特定の平行移動軸線にしたがって油圧チャンバ内を平行移動する形にポンプのピストンを駆動するための手段を備える投与本体（ｄｏｓａｇｅ  ｂｏｄｙ）とを備える。
【０００３】
特にダイアフラムの損傷又はポンプの閉塞を防止するために、油圧チャンバ内の圧力の補正のための弁を、上記ポンプに装備することが一般的である。上記弁は、典型的には、ポンプの動作位置における油圧チャンバの最高点の付近に配置されており、及び、校正されたフラップ弁を介して油圧チャンバと連通している中空本体を備え、このフラップ弁は、流体の一部分を油圧チャンバからその弁の中空本体に放出するために、油圧チャンバ内の圧力が閾値圧力を超える時に開く。
【０００４】
さらに、この弁は、油圧チャンバ内に存在する気泡の脱気を実現することを可能にする。
【０００５】
しかし、この脱気が、特に、弁の中空本体に油圧チャンバを連結する流路の縮小した横断面のせいで、制限されることが判明している。したがって、場合によっては、気泡が、油圧チャンバの中に、又は、弁の中空本体に油圧チャンバを連結する流路の中に、押し込まれた状態のままである可能性がある。これは、例えば、投与本体が空気で満たされており、したがって、ピストンの平行移動の各移動毎に油圧チャンバの中に空気が少しずつ吸い込まれ、これによって油圧チャンバ内で気泡の比較的高い濃度が生じる、ポンプの場合に当てはまる。
【０００６】
しかし、油圧チャンバ内の流体中の気泡の存在と、油圧チャンバと連通している流路内の気泡の存在とが、ポンプの性能を著しく低下させる傾向があり、したがって特にポンプの出力の大きな損失を生じさせる傾向がある。この欠点は、小さい出力を有するポンプの場合にさらに著しくなる。
【発明の概要】
【発明が解決しようとする課題】
【０００７】
本発明の目的は、油圧制御流体中に存在している気体の連続的で且つ大幅な脱気を可能にする油圧制御ダイアフラムポンプを提案することである。
【課題を解決するための手段】
【０００８】
この目的を実現するために、油圧制御ダイアフラムポンプが提案され、この油圧制御ダイアフラムポンプは、
ポンプ圧送チャンバを有する第１の部分と、油圧制御流体で満たされている油圧チャンバが中に備えられており且つダイアフラムによってポンプ圧送チャンバから隔離されている第２の部分とを備える、投与ヘッドと、
平行移動軸線にしたがって油圧チャンバ内を平行移動する形にポンプのピストンを駆動するための手段を備える投与本体と、
第２の部分と投与本体との間の接合部においてピストン上に配置されている少なくとも１つのシールと、
ポンプの作動の位置において油圧チャンバの最高点の付近に配置されている圧力補正弁（ｐｒｅｓｓｕｒｅ  ｒｅｇｕｌａｒｉｚａｔｉｏｎ  ｖａｌｖｅ）であって、フラップ弁を介して油圧チャンバと連通している中空本体を備え、このフラップ弁はその中空本体に向かう油圧チャンバの方向に開く圧力補正弁と、
油圧制御流体のための専用の脱気手段であって、少なくとも１つの脱気経路を備え、及び、この少なくとも１つの脱気経路は、上記経路の最低点を形成する脱気経路の第１の端部がピストンとシールとの間の接合部において開くように、且つ、上記経路の最高点を形成する脱気経路の第２の端部がフラップ弁の上方の弁本体の中に開くように、平行移動軸線に対して非平行である形で第２の部分内を延びる、脱気手段と、
を備える。
【０００９】
したがって、このポンプは、投与本体と第２の部分との間の境界の可能な限り近くに配置されている専用の脱気経路を備える。したがって、ピストンの平行移動の各移動毎に投与本体から第２の部分に流れる空気が、その弁の中空本体に容易に放出される。このことが、ポンプの連続的で且つ大幅な脱気を可能にする。
【００１０】
このことは、さらに、投与本体から油圧チャンバへの気泡の移動を制限する。したがって、油圧チャンバ内の気泡の量が限定された状態のままであるか、又は、存在しない。
【００１１】
したがって、このポンプの性能は非常に高く、及び、その性能は時間の経過に係わらず一定不変である。
【００１２】
本発明は、低出力ポンプがその油圧チャンバ内の空気圧の存在の影響をより受けやすいので、こうした低出力のポンプに特に適している。
【００１３】
本出願において、用語「高点（ｈｉｇｈ  ｐｏｉｎｔ）」、「低点（ｌｏｗ  ｐｏｉｎｔ）」、「より低い（ｌｏｗｅｒ）」、「より高い（ｈｉｇｈｅｒ）」、及び、「上方の（ａｂｏｖｅ）」等は、動作中のポンプの位置、即ち、ポンプが支持物上に支持されている位置を基準として理解されるべきであり、その弁は、この支持物とは反対側の方向に延びるように配置されているということを理解されたい。
【００１４】
本発明は、本発明の特定の非限定的な実施形態の以下の説明を考慮して、より適切に理解されるだろう。添付図面に対する言及が行われるだろう。
【図面の簡単な説明】
【００１５】
【図１】投与本体の一部分だけが示されている、本発明による油圧制御ダイアフラムポンプの断面図である。
【図２】本発明の変形例による油圧制御ダイアフラムポンプの一部分の断面図である。
【発明を実施するための形態】
【００１６】
図１を参照すると、本発明による油圧制御ダイアフラムポンプは、この場合に、低出力で且つ中圧力又は高圧力のポンプである。
【００１７】
このポンプは、このポンプのダイアフラム３と共にポンプ圧送チャンバ４を画定する第１の部分２を備える投与ヘッド１を備える。このポンプ圧送チャンバ４は、フラップ弁ケース内に収容されている一方向フラップ弁が備えられている吸引流路５と配送流路６とによって、外部に連結されている。
【００１８】
この場合には、ダイアフラム３は肉厚のダイアフラムである。このダイアフラム３は、そのポンプの吸引過程の終了時のこのダイアフラムの状態に一致する休止時の形態（図示されている形態）から弾性的に変形可能である。このダイアフラム３の剛直性は、ポンプの吸引力がその休止状態に自ら戻るためのダイアフラム３の能力によって決定されるような剛直性である。例えば本出願人による仏国特許出願公開第ＦＲ  ２  ９３４  ３３２号明細書におけるように、このタイプのダイアフラムは当業で公知であり、及び、本明細書ではさらに詳細に説明されることはない。
【００１９】
さらに、投与ヘッド１は、油圧チャンバ８が中に備えられている第２の部分７を備える。ポンプ圧送チャンバ４に面するダイアフラム３の反対側の面が後面として知られており、及び、油圧チャンバ８内に存在する油圧流体の圧力を受けている。ダイアフラム３の後面に到達するように油圧チャンバ８からの油圧流体が通過するための流路２３も、第２の部分７内に設けられている。
【００２０】
ケーシング９の第１の端部９ａがダイアフラム３に面し、且つ、ケーシング９の第２の端部９ｂが第２の部分７の外部に開くように、第２の部分７は、さらに、水平軸線Ｘに沿って第２の部分７内を延びるケーシング９を備える。ケーシング９はその外側横断面の局所的狭窄部１０を備え、この狭窄部１０は、第２の部分７と共に排出チャンバ（ｅｍｐｔｙｉｎｇ  ｃｈａｍｂｅｒ）を画定する。
【００２１】
第２の部分７は、さらに、ポンプの外部に上記排出チャンバ１１を連結する排出流路１２を備える。この排出流路１２は、第２の部分７の下方端部において排出チャンバ１１の第２の部分７内を垂直方向に延びる。
【００２２】
ピストン１３の第１の端部１３ａが油圧チャンバ８の中に開き、且つ、ピストン１３の第２の端部１３ｂがケーシング９の外に開くように、ポンプが、さらに、ケーシング９内に受け入れられ且つ上記軸線Ｘに沿って延びるピストン１３を備える。
【００２３】
ピストン１３は、ピストン１３が上記軸線Ｘに沿って油圧チャンバ８内で平行移動を行うことが可能であるように、モータと駆動装置とを備える駆動手段によって機械的に平行移動の形で駆動され、このモータと駆動装置はそれ自体としては既知であり、及び、本明細書では詳細に示されていない。
【００２４】
ピストン１３を平行移動の形で駆動するための手段は、ポンプの投与本体１４内に配置されている。さらに明確に述べると、この場合に、投与本体１４は、第２の部分７に隣接している空洞１５を備え、及び、この空洞１５内では、ピストン１３の第２の端部１３ｂは、平行移動の形で駆動するための手段に連結されており、及び、上記空洞１５は外気中にある。この場合には、第２の部分７は、第２の部分７と投与本体１４との間の境界を画定するケーシング９の第２の端部９ｂによって、投与本体１４と一体化されている。
【００２５】
第２の部分７が油圧制御流体で満たされているのに対して、投与本体１４が空気で満たされているので、第２の部分７の気密度が確実なものにされなければならない。したがって、ポンプは、第２の部分７と投与本体１４との間の接合部においてピストン１３上に配置されているシール１６を備える。この目的のために、レセプタクルがケーシング９の第２の端部９ｂ内に備えられており、及び、シール１６は上記レセプタクルの内側に配置されている。シール１６はこの場合にはリップシール（ｌｉｐ  ｓｅａｌ）である。
【００２６】
したがって、このポンプはわずかな油圧制御流体だけしか備えない。さらに、投与ヘッド１又は投与本体１４を事前に空にすることが不要なので、ポンプの他の部分から投与ヘッド１を容易に取り外すことが可能である。
【００２７】
さらに、ポンプは、油圧チャンバ８内に圧力補正弁１７を備える。
【００２８】
この弁１７は、この場合に、ポンプの動作位置における油圧チャンバ８の最高点の付近において第２の部分７上に配置されている。弁１７は垂直方向に延び、及び、ケーシング９の上方において第２の部分７内に備えられているレセプタクル１９内に支持されている下部部分１８と、下部部分１８上に支持されており且つ上記レセプタクル１９の中に少なくとも部分的に延びる上部部分２０とを備える。この場合には、上部部分２０の下端が、下部部分１８上のその固定のための内側ねじ山２１と、第２の部分７上にその固定のための外側ねじ山２２とを備える。
【００２９】
弁１７は、さらに、校正されている放出フラップ弁２４を備える。この場合に、フラップ弁２４は、下部部分と上部部分との間の境界においてその弁１７内に配置されている。したがって、フラップ弁２４は、上部部分２０と共に中空本体２５を画定する。油圧チャンバ８内の圧力が、例えばねじによるフラップ弁２４の校正の調節によって調節されることが可能である閾値を越える場合に、フラップ弁２４は、油圧チャンバ８から中空本体２５に向かう方向に開くように構成されている。弁１７は、さらに主流路２６を備え、この主流路２６は、フラップ弁２４の下方で開くように下部部分１８内に備えられており、及び、第２の部分内に備えられているダクト２７によって油圧チャンバ８に連結されている。
【００３０】
したがって、ポンプ圧送チャンバ４内で閉塞が生じる場合には、油圧チャンバ８内に収容されている油圧制御流体が、中空本体２５の中に開くように、主流路２６を経由し、その次に放出フラップ弁２４を経由して、上記油圧チャンバ８から放出されることが可能である。したがって、弁１７は、油圧チャンバ８内の過剰な圧力を低下させることを可能にする。
【００３１】
さらに、特にその流体がフラップ弁２４を経由して油圧チャンバ８から出て行く時に、又は、油圧チャンバ８内のピストン１３の移動中に出現する気泡の故に、又は、ピストン１３の行程を変化させ且つしたがってポンプの容量を変化させるポンプの行程の調節の変動の故に、油圧チャンバ８内に収容されている油圧制御流体の体積が変動する。この欠点を取り除くために、弁１７は、油圧チャンバ８内の油圧制御流体の漏洩を補償するための手段を備える。
【００３２】
既知の形で、上記手段は、再供給経路を備え、この再供給経路は、フラップ弁２４からバイパスした主流路２６に中空本体２５を連結する。この目的のために、この場合には、再供給経路は、一方では、下部部分１８と、その下部部分１８の下端によって画定されている再供給体積２９と、他方では第２の部分７の対応するレセプタクル１９との間を、下部部分１８の中を通って垂直方向に延びる第１の再供給流路２８を備える。上記再供給流路は、さらに、上記再供給体積２９から主流路２６に垂直方向に延びる第２の流路３０を備える。この第２の流路３０は、さらに、自由であり且つ一方向性であり且つ連続している２つのボールフラップ弁（ｂａｌｌ  ｆｌａｐ  ｖａｌｖｅ）３１を備え、これら２つのフラップ弁３１の開放方向が、中空本体２５から油圧チャンバ８に向かう方向である。
【００３３】
ピストン１３の後方への行程が、ダイアフラム３がその休止位置に弾性的に戻ることを可能にする。ピストン１３がその後方の死点に到達し終わる前にこの位置に到達する場合には、油圧チャンバ８内で低圧力が生じ、その結果として、中空本体２５から２つのフラップ弁３１を連続的に通って吸い込まれる特定の体積の油圧流体の吸引が生じる。したがって、弁１７は、さらに、油圧チャンバ８内の過剰に低い圧力を調節することを可能にする。
【００３４】
弁１７は、さらに、フラップ弁２４からバイパスする形に配置されており且つしたがって油圧チャンバ８内に存在することがある気泡の連続的な排気を可能にする、排気通路（ｖｅｎｔｉｎｇ  ｐａｓｓａｇｅ）３２を備え、その空気は、中空本体２５に通じるように、主流路２６と上記排気通路３２とを経由して流れる。したがって、気泡の一部分が主流路２６を経由して放出される。
【００３５】
主流路２６は、弁１７内の油圧チャンバ８内に収容されている気泡の排気を容易にするために、上記油圧チャンバ８の高点（ｈｉｇｈ  ｐｏｉｎｔ）における空気の自然蓄積を利用するように、油圧チャンバ８の上方に配置されている。
【００３６】
このポンプは、さらに、油圧制御流体のための専用の脱気手段を備える。この専用の脱気手段は、第２の部分７内を延びる脱気経路を備える。
【００３７】
この場合には、脱気経路は、ピストンとシールとの間の接合区域においてその下端（ｌｏｗ  ｅｎｄ）において開くように、及び、その上端（ｈｉｇｈ  ｅｎｄ）において排出チャンバの中に開くように、ケーシング９内を横断方向に延びる第１の流路３３を備える。この第１の流路３３は、したがって、投与本体１４から得られる空気を収集するために、投与本体１４から得られる空気の吸入のための区域に対して可能な限り接近して配置されている。この場合に、したがって、第１の流路３３は、弁１７の方向に、且つ、軸線Ｘに対して横断方向に延びる。
【００３８】
この脱気経路は第２の流路３４を備え、及び、この第２の流路３４は、その下端において排出チャンバ１１の中に開き、且つ、その上端において開放空気の中に開き、したがって、その取り扱いを容易化するように、第２の部分７内を横断方向に延びる。しかし、第２の流路３４の上端はストッパ３５によって閉じられている。第２の流路３４は、実質的に第１の流路３３の上端と同一の高さにおいて、排出チャンバ１１の上部部分内で、第２の流路３４の下端において、排出チャンバ１１の中に開くように、配置されている。したがって、第１の流路３３と第２の流路３４は、排出チャンバ１１によって連結されている。好ましいことに、第２の流路３４は、その下端が第１の流路３３の上端の上方で開き、これによってその２つの流路の間のより適切な連結を確実なものにし、及び、こうしてより効率的な脱気を確実なものにするように、設計されている。この場合には、したがって、第２の流路３４は、軸線Ｘに対して横断方向に、弁１７とは反対側の方向に延びる。
【００３９】
さらに、この脱気経路は第３の流路３６を備え、及び、この第３の流路３６は、その下端において、第２の流路３４の上端において第２の流路３４の中に開くように、且つ、その上端において、弁１７を受け入れるレセプタクル１９の中に開くように、第２の部分７内を横断方向に延びる。したがって、この第３の流路３６は、弁１７の方向に且つ軸線Ｘに対して横断方向に延びる。
【００４０】
脱気経路は、さらに、第４の流路３７を備え、及び、この第４の流路３７は、第３の流路３６の上端の第１の端部に連結されるように、且つ、その第２の端部において中空本体２５の中に開くように、その弁の上部部分２０の壁の１つを通って延びる。この場合には、この第４の流路３７は実質的に水平方向に延びる。
【００４１】
したがって、第１の流路３３の下端は、脱気経路の第１の端部を形成し、及び、上記経路の最低点に位置しており、一方、第４の流路３７の第２の端部は脱気経路の第２の端部を形成し、及び、上記経路の最高点に位置している。
【００４２】
ポンプが動作している時には、投与本体１４から得られる空気が脱気経路によって連続的に排出され、及び、その空気は、中空本体２５の中に開くように、第１の流路３３と、第２の流路３４と、第３の流路３６と、第４の流路３７との中を連続的に通過する。さらに、この脱気経路は、投与本体１４から得られる空気がわずかしか又は全く油圧チャンバ８に到達しないように、シール１６において直接的に空気を収集する。このことが、ポンプの性能の低下を防止する。さらに、脱気経路が弁１７の上部部分２０の中に開くので、再供給経路内には空気がわずかしか存在しないか又は全く存在せず、このことが、油圧チャンバ８の中への油圧流体の漏洩を補償する段階中に油圧チャンバ８内に気泡がわずかしか送り込まれないか又は全く送り込まれないことを確実なものにする。したがって、この専用の脱気手段は、油圧流体中に存在している空気の非常に効率的で且つ連続的な脱気を可能にする。
【００４３】
この場合に、脱気経路は、フラップ弁２４の概ね上方で弁１７の中に開くことによって、弁１７の中へ空気を搬送するように形成されている。
【００４４】
したがって、ピストン１３の行程が変更されても、脱気が常に効率的であるだろう。
【００４５】
典型的には、脱気経路は、第４の流路３７（弁１７の中に開く）と再供給体積２９との間に収容される油圧流体の体積がポンプの最大容積よりも大きいように形成されている。
【００４６】
脱気経路のそれぞれの経路が、油圧チャンバ８を弁１７に連結する流路よりも大きく、且つ、主流路２６よりも大きい、横断面を有することが好ましい。脱気経路の上記流路の横断面は、気泡が上記脱気経路の内部に押し込まれた状態のままであることを防止することが可能であり、放出されるべき気泡は、脱気経路内において、より多い量である。
【００４７】
この場合には、脱気経路の第２の流路３４は、さらに、脱気経路の第１の経路３３と第３の流路３６と第４の流路３７とよりも大きい横断面を有する。脱気経路の第２の流路３４は、典型的には、脱気経路の第１の流路３３の横断面よりも２倍から４倍大きい横断面を有する。このことが、第１の流路３３から第３の流路３６に効率よく気泡を放出することを可能にする。
【００４８】
このように形成された本発明によるポンプでは、油圧制御流体は第２の部分７内にだけ存在する。したがって、この流体は、油圧チャンバ８と、通路流路２３と、弁１７に油圧チャンバ８を連結するダクト２７と、主流路２６との中に存在して圧力を受ける。この流体は、さらに、弁１７の残り部分（中空本体２５と再供給経路）内と、脱気経路内と、排出チャンバ１１内と、排出流路１２内において、大気圧よりも低いか又は大気圧に等しい圧力で存在している。
【００４９】
格段に、脱気されるべき空気の大半は第２の部分７と投与本体１４との間の接合部に位置しており、及び、脱気経路を経由して放出され、及び、油圧チャンバ８内により少ない度合いで位置しており（又は、存在さえもしておらず）、及び、好ましくは、弁１７を経由して、及び、特に主流路２６と排気通路３２とを経由して放出されることが好ましい。
【００５０】
したがって、本発明によるポンプは、油圧流体内に存在している空気の効率的で連続的な脱気を可能にし、及び、油圧チャンバ８内の過剰に大量の気泡が存在することを防止する。したがって、本発明によるポンプからの出力は、一定不変であり、正確であり、且つ、安定している。
【００５１】
本発明が上述の実施形態だけに限定されず、及び、様々な実施形態が、特許請求項によって定義される本発明の構成から逸脱することなしに実現されることが可能であるということを理解されたい。
【００５２】
特に、このポンプは、上述した形態以外の形態を有することが可能である。例えば、図２を参照すると、本発明の変形例（上述した実施形態と共通している要素が１００を増分した同一の番号を有する）では、排出チャンバ１１１を再供給チャンバに連結するための流路１４０が、第２の部分１０７内に備えられている。典型的には、上記連結流路１４０は、再供給経路の下部部分の中に開き、及び、この場合には、再供給体積１２９の中に開く。望ましくは、連結流路１４０を経由してではなく、第２の流路１３４を経由して気泡が生じることを確実なものにする、上記脱気経路の第１の流路１３３と第２の流路１３４との間の最適化された配置の故に、このことが脱気経路を経由した良好な脱気を過剰に低減させることはない。
【００５３】
脱気経路は、さらに、示されている形態とは全く異なる形態を有することが可能である。例えば、上記経路は様々な数の流路を備えることが可能であり、及び、上記流路は様々な形に方向配置されることが可能である。例えば、第２の流路が、弁の方向において垂直方向に延びることが可能であり又は横断方向に延びることが可能である。第１の流路と第２の流路は、排出チャンバの介在なしに互いに連結されることが可能である。専用の脱気手段は、複数の脱気経路を備えることが可能である。
【００５４】
さらに、その弁は、示されている形態と全く異なる形態を有することが可能である。例えば、その弁は、本出願人による欧州特許出願公開第ＥＰ  ２  ３９４  ０５６号明細書に説明されている弁であることが可能である。
【００５５】
ダイアフラムは、上述したダイアフラムとは異なることが可能である。このダイアフラムは、例えば、本出願人による仏国特許出願公開第ＦＲ  ２  ６７０  ５３７号明細書と同第ＦＲ  ２  ９３４  ３３２号明細書とに説明されている、２つの薄い金属壁で囲まれている厚い内壁を備える複合材料ダイアフラムであることが可能である。
【００５６】
このポンプは、さらに、ダイアフラムの破裂の検出のための装置を備えることも可能である。
【００５７】
この弁は、上述した排気通路とは異なる、油圧制御流体の脱気のための任意の既知の装置を備えることが可能である。
【図１】
2015224643.tif 000003
【図２】
2015224643.tif 000004
【外国語明細書】
2015224643000001.pdf